(57)【要約】【課題】  海底に沈設することによって、多種類の魚介類が集まって生息し、かつコンブ科等の有用海藻が付着して繁殖することが出来る海中林構造体を目的とする。【解決手段】  中央部とその周りに複数の穴６を設けた偏平板４の周辺縁に脚５を突設してなる基台２と長さの異なる２種類の柱体３ａ、３ｂとより構成され、かつ前記偏平板４の穴６に複数の高さの大きい柱体３ａを起立固定し、偏平板４の周辺部の複数の穴６に高さの小さい柱体３ｂを起立固定して構成した海中林構造体１である。【選択図】      図１
2006075102.tif 000002
【特許請求の範囲】
【請求項１】
基台の中央部に複数の穴を並列して設け、かつ該基台の周りに所定の間隔を保って複数の穴を設け、前記基台の中央部の複数の穴に高さの大きい柱体を起立固定し、前記基台の周りの穴に高さの小さい柱体を起立固定して構成したことを特徴とした海中林構造体。
【請求項２】
前記基台を中心部に配置された偏平板の外周縁に複数の脚を突設して構成したことを特徴とした請求項１の海中林構造体。
【請求項３】
前記基台の中心部に起立した柱体と基台の周辺部に起立した柱体とを夫々相互に基台に連結されたフレームを介して連結するか或は基台に固定されたフレーム枠内に各柱体を収納して構成したことを特徴とした請求項１或は請求項２の海中林構造体。
【請求項４】
前記柱体が電柱の廃材或は山林の間伐材等の多様な素材で構成されていることを特徴とした請求項１乃至請求項３の海中林構造体。 
【発明の詳細な説明】
【技術分野】
【０００１】
本発明は海藻を繁茂させると共に、魚介類が住み付いて繁殖させることが出来る海中の環境を改善するための海中林構造体に係り、特に廃材を有効に利用出来、かつ波に影響されることなく海中に安定した状態で設置出来、しかも設置する海の近くで簡単に組立てることが出来る海中林構造体の技術に関するものである。
【背景技術】
【０００２】
従来もこの種の目的のために開発された技術としては、例えば特許第２８２４２３２号公報（特許文献１）、特許第２９０５４３２号公報（特許文献２）、特開平９−６５７９５号公報（特許文献３）、特開２０００−６９８７８号公報（特許文献４）、特開平７−３１７０４２号公報（特許文献５）等が公知である。
【０００３】
前述の特許文献１の技術は、コンクリート基盤の上に複数の柱体を起立し、これ等の柱体の側方に担持基体を板状に突設し、かつこの担持基体にコンブ科のツルアラメ等の胞子、幼体、成熟体あるいは葡萄根の少なくともいずれかの一種を取着して構成した海中林の造成方法の技術である。
【０００４】
特許文献２の技術は、ブロック状の基盤の上に複数の棒状体か柱体を林立し、かつこれ等の棒状体か柱体に予め海藻種菌を付着させた担持基体を枝状に横方向に突設して構成した立体的海中床の造成方法である。この特許文献２の技術は、前述の特許文献１の技術と類似しているが、この造成方法は、棒状体か柱体をブロック状基台に立設した造成用構造物を台船に搭載し、台船上で海藻種菌を付着させた担持片を棒状体や柱体に取付けた後で、海中に入れて海底に沈設することを特徴とした技術である。
【０００５】
特許文献３の技術は、石材からなる基盤に揺動可能な連結手段を介して浮力により自立する複数本の柱体の下端部を互いに離間させた状態で取付け、海底に沈設した海中林造成用構造物である。
【０００６】
特許文献４の技術は、十字型に形成されたコンクリート基盤の中心部と、その先端部に夫々柱体を起立し、かつ中心部に起立した柱体のみに所定の手段で海藻種菌を取付け、この中心部の柱体の海藻種菌から放出される胞子を周りの他の柱体に転移させて海藻を繁茂させるようにした海中林の造成方法である。
【０００７】
特許文献５の技術は、複数の開口部を有する日の字型のコンクリートブロック製重量基盤と、複数の柱体を横材で相互に連結したユニットとの組合せよりなり、コンクリートブロック製重量基盤の複数の開口部に夫々ユニットの下端部を挿入して固定立設した海底施設用ブロック体である。
【０００８】
【特許文献１】特許第２８２４２３２号公報
【特許文献２】特許第２９０５４３２号公報
【特許文献３】特開平９−６５７９５号公報
【特許文献４】特開２０００−６９８７８号公報
【特許文献５】特開平７−３１７０４２号公報
【発明の開示】
【発明が解決しようとする課題】
【０００９】
前記特許文献１、２の技術は、予め海藻種菌を付着させた担持基体を夫々柱体或は棒状体に枝状に取付固定しなければならないので、極めて作業性が悪く、コスト高になる問題があった。また、特許文献４の技術は、十字型に形成されたコンクリート基盤の中心部に起立した柱体に、所定の手段で海藻種菌を植付けなければならないので、前記特許文献１、２と同様に作業が繁雑でコスト高になる問題があった。
【００１０】
特許文献４の技術は、浮力により自立する特殊な複数の柱体を使用しなければならず、しかも極めて複雑な連結手段を用いてこれ等の柱体の下端を石材からなる基盤に揺動可能に取付け固定しなければならず、構成が複雑で、かつこれを実現する場合には作業が繁雑である問題があった。
【００１１】
特許文献５の技術は、多数の柱体を林立させることが出来るメリットはあるが、複数柱体を横棧を介して相互に連結してユニットにした後でコンクリート製重量基盤内の開口部に立設しなければならず、作業が複雑である問題があった。かつ多数のユニットを支持する基盤は極めて重量のあるコンクリート製の基盤を使用しなければならない問題もあった。
【００１２】
また、特許文献１、２、３、４、５の技術に於ては、夫々がほぼ高さの等しい柱体或は棒状体をコンクリート等の基盤に立設するので、海中に沈設した場合には波の影響を受け易くなるので、基盤は必要以上に重量のあるものを使用して該基盤とこれに立設される柱体等を相互に強固に連結しなければならない等の問題もあった。
【００１３】
さらに、基盤にほぼ高さが等しい柱体或は棒状体を起立した海中林の場合には、これ等の柱体等によって海中に形成される陰影部が一律であって変化に乏しくなる等の問題があった。
【００１４】
本発明は、前述の従来の多くの問題点に鑑み開発された全く新規な発明であって、特に、海中に構造体を設置した場合に、複数の柱体によって形成される陰影部が、コンブ科植物の生育に好適であり、かつコンブ科植物を移植しなくとも、自然にコンブ科植物が付着繁殖して、コンブ科植物によって海中材を形成することが出来るようにした構造体の技術を提示するものである。
【００１５】
また、本発明の海中林構造体は、複数の柱体によって垂直方向に長い陰影が出来るようにして、水深による光量の減衰が関与することで、柱体部の周囲を含めて垂直方向に陰影が連続的に変化し、この陰影の連続的な変化に応じて、魚介類が蝟集するように構成した構造体の技術を目的としている。
【００１６】
また、本発明の海中林構造体は、柱体を起立するのみの単純構造で構成出来、かつ高さの異なる柱体を所定の順序で配列することによって、柱体が形成する明部と陰影部の緩やかな移行帯により、棲み場空間と外部空間との物理化学的、生物的な連続性を確保し、これにより魚類等の棲み場空間の容積を大きく出来るようにした構造体の技術を提供するものである。
【００１７】
また、本発明の海中林構造体を砂地海底に設置した場合には、海中林構造体が前述のような構造を有しているので、この海中林構造体を設置した付近の海底を改変することが少なく、これによって魚類の主要な餌料となるヨコエビ類、アミ類等を砂地海底に生息させることが出来る。かつ、砂地海底の明るさとそこに点在させることが出来る本発明の海中林構造体の陰による暗部との陰影差により、多くの魚類を蝟集させることが出来るようにした構造体を目的としている。
【００１８】
また、本発明の海中林構造体は、海藻が藻食性魚類から食害を受けにくい陰影部を形成して、魚類の食害を軽減し、砂地海底の改変を少なくすることが出来、しかも現場で簡単に組立構成することが出来る海中林構造体の発明を提供するものである。
【課題を解決するための手段】
【００１９】
本発明に係る海中林構造体は、前述の従来の多くの問題点を根本的に改善した全く新しい技術であって、その第１発明の要旨は、基台の中央部に複数の穴を並列して設け、かつ該基台の周りに所定の間隔を保って複数の穴を設け、前記基台の中央部の複数の穴に高さの大きい柱体を起立固定し、前記基台の周りの穴に高さの小さい柱体を起立固定して構成したことを特徴とした海中林構造体である。
【００２０】
また、本発明に係る海中林構造体の第２発明の要旨は、前記基台を中心部に配置された偏平板の外周縁に複数の脚を突設して構成したことを特徴とした第１発明の海中林構造体である。
【００２１】
また、本発明に係る海中林構造体の第３発明の要旨は、前記基台の中心部に起立した柱体と基台の周辺部に起立した柱体とを夫々相互に基台に連結されたフレームを介して連結するか或は基台に固定されたフレーム枠内に各柱体を収納して構成したことを特徴とした第１発明或は第２発明の海中林構造体である。
【００２２】
また、本発明に係る海中林構造体の第４発明の要旨は、前記柱体が電柱の廃材或は山林の間伐材等の多様な素材で構成されていることを特徴とした第１発明乃至第３発明の海中林構造体である。
【発明の効果】
【００２３】
本発明に係る前述の第１発明に於ては、基台の中央部とその周りに夫々複数の穴を設けたので、該基台に立設する柱体は、その下端部を該穴に挿入して固定することによって、簡単かつ安定した状態で起立固定することが出来る。従って、本発明に係る構造物は、現場の台船上に於ても簡単に組立構成することが出来る。また、本発明では、構造物を強化するために、柱体と足と基盤との３者を一体化して構成している。さらに、本発明に於ては、全体が高さの異なる柱体で構成されているので、これを海中に沈設した場合には、柱体の周りに自然にコンブ科植物を付着繁殖させることが出来る。
【００２４】
また、第１発明に於ては、基台の中央部に高さの大きい複数の柱体を起立し、かつ基台の周りに所定の間隔を保って高さの小さい柱体を起立して配設したので、全体を極めて安定した構造とすることが出来る。また、本発明の構造物は空間容積が大きい割りに接地面積が小さいために、砂地海底の改変を少なくすることが出来る。
【００２５】
本発明に於ては、中央部に高さの大きい柱体を起立固定したが、この高さの大きい柱体は、基台の周りに起立固定した２本の高さの小さい柱体を上下方向に連結することによって構成することも出来る。
【００２６】
また、第１発明に於ては、基台の中央部に高さの大きい複数の柱体を集中して起立し、かつ基台の周りに高さの小さい複数の柱体をまばらに起立して構成したので、海中に沈設した場合には、複数の柱体によって垂直方向に長い陰影を形成することが出来る。また、水深による光量の減衰が関与して、柱体部の周囲を含めて垂直方向に陰影を連続的に変化させ、魚介類を蝟集させることが出来る。
【００２７】
また、第１発明の海中林構造体は、高さの異なる柱体を所定の順序で配列したので、柱体が形成する明部と陰影部の緩やかな移行帯により、棲み場空間と外部空間との物理的、生物的な連続性を確保して、魚類等の棲み場空間の容積を大きくすることが出来る。
【００２８】
さらに、本願の第１発明の海中林構造体を砂地海底に設置した場合には、海中林構造体が前述のような構造を有しているので、この海中林構造体を設置した付近の海底を改変することが少なく、これによって魚類の主要な餌料となるヨコエビ類、アミ類等を砂地海底に生息させることが出来る。かつ、砂地海底の明るさとそこに点在させることが出来る本発明の海中林構造体の陰による暗部との陰影差により、多くの魚類を蝟集させることが出来る。
【００２９】
本発明の第２発明に於ては、基台の中心部を偏平板で構成したので、基台全体を軽量化することが出来る。また、該偏平板の外周縁には複数の安定脚を突設したので、構造体を海中に沈設した際に安定させることが出来る。この偏平板と安定脚は鋼材或はコンクリート材等で一体的に成形することが出来る。
【００３０】
本発明の第３発明に於ては、前述のように基台の中心部に起立した柱体と基台の周辺部に起立した柱体とを夫々基台に連結されたフレームを介して相互に連結するか、或は基台に固定されたフレーム枠内に各柱体を収納したので、各柱体を基台に強固に取付けることが出来る。従って、構造体全体を強固にすると共に、大きな外圧がかかった場合、或は構造体が老朽化した場合にも柱体が基台より抜け落ちることを防止出来る。
【００３１】
本発明の第４発明に於ては、前述のように基台に起立する柱体を電柱の廃材或は山林の間伐材で構成したので、廃材を有効利用することが出来、かつ極めて安価に大量生産することが出来る。特に、電柱の廃材は海藻の生育に適しており、周辺に天然の海藻が繁茂していれば海中に所定期間沈設することのみで海藻を繁茂させることが出来る。また、間伐材は魚類の餌類となるヨコエビ等の小型動物の生息場として利用され、魚類の蝟集効果が期待出来る。
【発明を実施するための最良の形態】
【００３２】
図により、本発明の一実施例を具体的に説明すると、図１は本発明に係る海中林構造体の第１実施例を示す斜視説明図、図２は図１の構成部品を示す平面図、図３は第１実施例の海中林構造体にフレームを取付けた状態の斜視図、図４は海中林構造体の第２実施例を示す斜視説明図である。
【００３３】
図５は本発明に係る海中林構造体の第３実施例を示す斜視説明図、図６は図５の構成部品を示す平面図、図７は図５の海中林構造体にフレームを取付けた状態の斜視図、図８は海中林構造体の第４実施例を示す斜視説明図、図９は海中林構造体の第５実施例を示す斜視説明図、図１０は海中林構造体の第６実施例を示す斜視説明図である。
【００３４】
図１乃至図３に於て、本発明に係る海中林構造体１の第１実施例について説明する。この海中林構造体１は基本的に基台２と、この基台２上に起立された複数の柱体３より構成されている。
【００３５】
前記基台２は、鋼材又はコンクリート等で形成された四角形状の偏平板４と、この偏平板４の各コーナーに突設された脚５とより構成されている。該脚５は、予め偏平板４を一体的に成形されている。この脚５は、海中林構造体１を海中に沈設した場合に、基台２を海底に安定させる役割をしている。
【００３６】
また、前記偏平板４の中央部とコーナー部とには夫々前記柱体３を起立するための穴６が設けられている。本実施例に於ては、偏平板４の中央部に４個の穴６が設けられ、かつそのコーナー部には夫々１個の穴６が設けられている。
【００３７】
前記柱体３は鋼材、コンクリート或は廃材となった電柱等が使用されており、高さが約８ｍの柱体３ａと、高さが約４ｍの柱体３ｂとの２種類が用意されている。基台２の偏平板４の中央部には、４本の柱体３ａの下端部が夫々穴６の中に挿入されている。偏平板４のコーナー部には、夫々柱体３ｂの下端部が夫々穴６の中に挿入されて起立固定されている。
【００３８】
前記柱体３ａ、３ｂの頂部には、鋼管のキャップ７が取付けられている。８はフレーム枠であって、前期柱体３ａ、３ｂの頂部を夫々固定している。また、このフレーム枠８は基台２の一部にも固定されており、このフレーム枠８を介して複数の柱体３ａ、３ｂ及び基台２を相互に連結して一体化している。
【００３９】
前述の第１実施例の海中林構造体１は、全体として８本の鋼材、コンクリート、廃材電柱等を使用することが出来る。そして全体の高さは、前記柱体３ａの高さに基台２とキャップ７の高さをプラスした約８．５ｍにし、底辺巾を約１０ｍ、空間容積を約２５４ｍ３、全体の重量を約３０．８トンにしている。
【００４０】
前記実施例に於ては、フレーム枠８を介して各柱体３ａ、３ｂと基台２とを相互に連結したが、このようなフレーム枠８を用いずに簡単なフレーム或はロープ（図示せず）等を用いてこれ等の柱体３ａ、３ｂ及び基台２を相互に連結することも可能である。また、前述のフレーム枠８、フレーム、ロープ及びキャップ７等は本発明の要件ではなく、必要に応じて省略することが出来る。
【００４１】
図４により本発明に係る第２実施例の海中林構造体９について説明する。この海中林構造体９の基本構造は、前記第１実施例の海中林構造体１と同一である。この第２実施例は、第１実施例の海中林構造体１よりも高さの大きい鋼材、コンクリート、廃材電柱等よりなる柱体３を使用し、全体の構造を大きくし、海中林構造体９によって形成された空間容積を大きくしたものである。
【００４２】
この第２実施例に於ては、基台２の中央部に起立される柱体３ａを約１２ｍにし、柱体３ｂを約４ｍにしている。従って、海中林構造体９の全体の高さが約１２．５ｍ、底辺巾が約１２ｍ、空間容積が約３３０ｍ３、全体の重量が３６．７トンになっている。この海中林構造体９は、水深の深い海域で有効に使用することが出来る。
【００４３】
図５乃至図７に於て、本発明の第３実施例の海中林構造体１０について説明する。前述の第１実施例及び第２実施例に於ては、柱体３に廃材電柱を有効に利用したが、この第３実施例の海中林構造体１０に於ては、廃材電柱の代りに山林の間伐材を有効利用したものである。
【００４４】
第３実施例の海中林構造体１０を図により説明すると、柱体１１ａは高さが約１２ｍの間伐材であり、柱体１１ｂは高さが約４ｍの間伐材である。基台２の偏平板４の中央部の４個の穴６には夫々複数本の柱体１１ａが起立され、かつ偏平板４のコーナー部の穴６には柱体１１ｂが起立されている。前記中央部に起立される柱体１１ａは、高さが小さい柱体１１ｂを接続して構成することも可能である。
【００４５】
各穴６に起立される柱体１１ａ、１１ｂの本数は、柱体の径によって異なるが、一般的に各穴６に約４〜１２本の柱体１１ａ、１１ｂを挿入して起立することが出来る。各穴６内に下端部が挿入された複数本の柱体１１ａ、１１ｂは該穴６及びキャップ７でその位置を規制して揃えることが出来る。
【００４６】
第３実施例の海中林構造体１０も、前記第１実施例の海中林構造体１或は第２実施例の海中林構造体９と基本構造は同一であるので、基台２、偏平板４、脚５、フレーム枠８等についての説明は省略する。
【００４７】
第３実施例で構成した海中林構造体１０の全体の高さは約８．５ｍ、底辺巾は約１０ｍ、空間容積は約２５４ｍ３、全体の重量は約３６．９トンであった。
【００４８】
図８により第４実施例の海中林構造体１２を説明すると、この海中林構造体１２の場合は、前記第３実施例の海中林構造体１０と同様に柱体１１ａ、１１ｂに間伐材を使用している。この海中林構造体１２に於ては、高さが約８ｍの柱体１１ａの上端に高さが約４ｍの柱体１１ｂを接続して約１２ｍに形成している。従って、海中林構造体１２の高さを約１２．５ｍ、底辺巾を約１２ｍ、空間容積を３３０ｍ３、海中林構造体１２の全体の重量を４３．１トンで構成している。この海中林構造体１２も前記第２実施例の海中林構造体９と同様に水深の深い海域に有効に利用することが出来る。
【００４９】
前述の実施例９に於ては、第１実施例及び第２実施例の海中林構造体１、９のように、鋼材、コンクリート、廃材電柱等よりなる柱体３のみを単独で使用し、或は第３実施例及び第４実施例の海中林構造体１０、１２の如く、間伐材よりなる柱体１１のみを単独で使用して構成している。これに対して、後述の第５実施例及び第６実施例に於ては、柱体を鋼材、コンクリート、廃材電柱等と間伐材とを併用することによって柱体を構成している。
【００５０】
図９に於て、１３は第５実施例の海中林構造体であって、その基本構造は前記第３実施例の海中林構造体１０と全く同一である。海中林構造体１３が海中林構造体１０と異なる点は、海中林構造体１０に使用した間伐材よりなる複数体の柱体１１の中心部に鋼材、コンクリート、廃材電柱等よりなる柱体３を配置し、柱体を鋼材、コンクリート、廃材電柱等と間伐材を併用することによって構成している点である。このように柱体を鋼材、コンクリート、廃材電柱等と間伐材とで構成した場合には、柱体を強固にすることが出来る。
【００５１】
図１０に示す第６実施例の海中林構造体１４の基本構造は、前記第４実施例の海中林構造体１２と全く同一である。両者の異なる点は、海中林構造体１２の柱体１１を間伐材のみで構成するのに対し、海中林構造体１４の場合には、柱体を鋼材、コンクリート、廃材電柱等と間伐材とを併用することによって構成している点である。特に海中林構造体１２、１４の如く、高さの大きい海中林構造体は、柱体を強固にする必要があり、鋼材、コンクリート、廃材電柱等と間伐材とを併用することによって柱体を強固にすることが出来る。
【産業上の利用可能性】
【００５２】
本発明に係る海中林構造体は、多種類の魚介類の生息場のみならず、コンブ科等の有用海藻の生育場として多方面に使用することが可能である。
【図面の簡単な説明】
【００５３】
【図１】本発明に係る海中林構造体の第１実施例を示す斜視説明図である。
【図２】図１の構成部品を示す平面図である。
【図３】第１実施例の海中林構造体にフレームを取付けた状態の斜視図である。
【図４】海中林構造体の第２実施例を示す斜視説明図である。
【図５】本発明に係る海中林構造体の第３実施例を示す斜視説明図である。
【図６】図５の構成部品を示す平面図である。
【図７】図５の海中林構造体にフレームを取付けた状態の斜視図である。
【図８】海中林構造体の第４実施例を示す斜視説明図である。
【図９】海中林構造体の第５実施例を示す斜視説明図である。
【図１０】海中林構造体の第６実施例を示す斜視説明図である。
【符号の説明】
【００５４】
１          ・・・海中林構造体
２          ・・・基台
３          ・・・柱体
３ａ        ・・・柱体
３ｂ        ・・・柱体
４          ・・・偏平板
５          ・・・脚
６          ・・・穴
７          ・・・キャップ
８          ・・・フレーム枠
９          ・・・海中林構造体
１０        ・・・海中林構造体
１１ａ      ・・・柱体
１１ｂ      ・・・柱体
１２        ・・・海中林構造体
１３        ・・・海中林構造体
１４        ・・・海中林構造体 
【図１】
2006075102.tif 000003
【図２】
2006075102.tif 000004
【図３】
2006075102.tif 000005
【図４】
2006075102.tif 000006
【図５】
2006075102.tif 000007
【図６】
2006075102.tif 000008
【図７】
2006075102.tif 000009
【図８】
2006075102.tif 000010
【図９】
2006075102.tif 000011
【図１０】
2006075102.tif 000012